(57)【要約】【課題】  ブリッジベルトの位置変更が容易で、かつブリッジベルトの紛失のおそれがない子守帯を提供する。【解決手段】  子守帯は、子供支え部材１０と、子供支え部材１０から延びて使用者に装着される一対の肩ベルト部材２０，２１と、各肩ベルト部材２０、２１に沿って延在するように各肩ベルト部材２０、２１上に設けられた一対の案内ベルト３０，３１と、一対の案内ベルト３０，３１間を連結するように、その両端が一対の案内ベルト３０，３１に連結され、かつこれらの案内部材に沿って位置変更可能であるブリッジベルト５０と、各案内ベルト３０、３１によるブリッジベルト案内領域を前方部分と後方部分とに分けるように配置された止めボタン４０、４１とを備える。止めボタン４０，４１は、各案内ベルト３０，３１の中間部分の案内路を選択的に開閉する。【選択図】      図１
2006130233.tif 000002
【特許請求の範囲】
【請求項１】
使用者が子供を保持するために用いる子守帯であって、
子供の背、股および腹を支える子供支え部材と、
前記子供支え部材から延びて使用者に装着される一対の肩ベルト部材と、
前記各肩ベルト部材に沿って延在するように各肩ベルト部材上に設けられた一対の案内部材と、
前記一対の案内部材間を連結するように、その両端が前記一対の案内部材に連結され、かつこれらの案内部材に沿って位置変更可能であるブリッジベルトと、
前記各案内部材によるブリッジベルト案内領域を前方部分と後方部分とに分けるように配置され、前記各案内部材の中間部分の案内路を選択的に開閉する一対の案内路開閉手段とを備える、子守帯。
【請求項２】
前記案内部材は、前記肩ベルト部材上に延在するように設けられた案内ベルトである、請求項１に記載の子守帯。
【請求項３】
前記案内路開閉手段は、前記案内ベルトと前記肩ベルト部材とを脱着可能に接続する接続手段を含む、請求項２に記載の子守帯。
【請求項４】
前記接続手段は、雌雄係合具からなる止めボタンである、請求項３に記載の子守帯。
【請求項５】
前記ブリッジベルトは、一方の案内部材に連結される第１ベルトと、他方の案内部材に連結される第２ベルトと、前記第１および第２ベルトを着脱可能に連結するバックル部材とを含む、請求項１〜４のいずれかに記載の子守帯。
【請求項６】
当該子守帯は、前抱きおよびおんぶの形態での使用が可能であり、
使用者が当該子守帯を装着した状態では、前記各案内部材は、使用者の肩の前後に延在し、
前記案内路開閉手段は、使用者の肩の部分上に位置する、請求項１〜５のいずれかに記載の子守帯。
【発明の詳細な説明】
【技術分野】
【０００１】
この発明は、子供を保持するための子守帯に関し、特に前抱きの形態およびおんぶの形態での使用が可能な子守帯に関するものである。
【背景技術】
【０００２】
前抱きの形態およびおんぶの形態での使用が可能な子守帯（ベビーキャリア）は、例えば、特開平１１−４６９３８号公報（特許文献１）に開示されている。
【０００３】
上記公報に開示されたベビーキャリアは、左右一対のショルダーベルトの間隔を規制するブリッジベルトを備えている。ブリッジベルトは、ショルダーベルトの上端部に近いおんぶ位置および中央部のだっこ位置のいずれの位置においても該ショルダーベルトに脱着自在に係合可能とされている。
【０００４】
上記の構成を備えるベビーキャリアでは、おんぶあるいはだっこのいずれの使用形態であっても、確実にショルダーベルトの肩落ちを防止し、安定した装着状態を実現し得る。
【特許文献１】特開平１１−４６９３８号公報
【発明の開示】
【発明が解決しようとする課題】
【０００５】
特開平１１−４６９３８号公報に開示されたベビーキャリアでは、ブリッジベルトの位置を例えばおんぶの位置からだっこの位置に移そうとするとき、先ずおんぶの位置にあるブリッジベルトをショルダーベルトから分離し、次に分離したブリッジベルトをだっこの位置でショルダーベルトに接続する作業が必要となる。このようなブリッジベルトの分離・接続作業は、使用者にとって煩雑である。また、ショルダーベルトから分離したブリッジベルトを紛失するおそれもある。
【０００６】
この発明の目的は、ブリッジベルトの位置変更が容易で、かつブリッジベルトの紛失のおそれがない子守帯を提供することである。
【課題を解決するための手段】
【０００７】
この発明に従った子守帯は、使用者が子供を保持するために用いるものであって、子供の背、股および腹を支える子供支え部材と、子供支え部材から延びて使用者に装着される一対の肩ベルト部材と、各肩ベルト部材に沿って延在するように各肩ベルト部材上に設けられた一対の案内部材と、一対の案内部材間を連結するように、その両端が一対の案内部材に連結され、かつこれらの案内部材に沿って位置変更可能であるブリッジベルトと、各案内部材によるブリッジベルト案内領域を前方部分と後方部分とに分けるように配置され、各案内部材の中間部分の案内路を選択的に開閉する一対の案内路開閉手段とを備える。
【０００８】
上記構成の子守帯によれば、ブリッジベルトは、その両端が一対の案内部材に連結され、かつこれらの案内部材に沿って位置変更可能であるので、ブリッジベルトを案内部材から分離する必要がない。また、案内路開閉手段によって案内路を閉鎖すれば、ブリッジベルトを前方位置または後方位置のいずれかの位置に選択的に維持することができるので、前抱きの形態およびおんぶの形態の両状態においてブリッジベルトを最適な位置にもたらすことができる。また、使用者の体型に応じて、ブリッジベルトの位置を適宜調節できる。
【０００９】
好ましくは、案内部材は、肩ベルト部材上に延在するように設けられた案内ベルトである。また、案内路開閉手段は、例えば、案内ベルトと肩ベルト部材とを脱着可能に接続する接続手段を含む。この接続手段は、例えば、雌雄係合具からなる止めボタンである。
【００１０】
好ましい実施形態では、ブリッジベルトは、一方の案内部材に連結される第１ベルトと、他方の案内部材に連結される第２ベルトと、第１および第２ベルトを着脱可能に連結するバックル部材とを含む。
【００１１】
さらに好ましい実施形態では、子守帯は、前抱きおよびおんぶの形態での使用が可能であり、使用者が子守帯を装着した状態では、各案内部材は、使用者の肩の前後に延在し、案内路開閉手段は、使用者の肩の部分上に位置する。
【発明の効果】
【００１２】
以上のように、この発明によれば、ブリッジベルトの位置変更が容易で、かつブリッジベルトの紛失のおそれがない子守帯を提供することができる。
【発明を実施するための最良の形態】
【００１３】
図１〜図１０は、この発明の一実施形態に係る子守帯を示す図である。図示する子守帯は、図３および図４に示すおんぶの形態、および図５および図７に示す前抱きの形態の両状態での使用が可能なものである。
【００１４】
図１に示すように、子守帯は、子供の背、股および腹を支える子供支え部材１０と、子供支え部材１０から延びて使用者に装着される一対の肩ベルト部材２０，２１と、一対の肩ベルト部材２０，２１間の間隔が広がらないように両者を連結するブリッジベルト５０とを備える。各肩ベルト部材２０，２１は、それぞれ長さ調節具２２，２３を有しており、長さ調節可能になっている。
【００１５】
子供支え部材１０は、子供の背を背後から支える背当て部１１と、子供の股を下から支える股当て部１２と、子供の腹を前から支える腹当て部１３とを含む。背当て部１１と腹当て部１３とは、長さ調節可能な連結ベルト１４，１５によって連結される。
【００１６】
一方の肩ベルト部材２０上には、肩ベルト部材２０に沿って延在する案内部材が設けられている。図示した実施形態では、案内部材は、肩ベルト部材２０上に延在する案内ベルト３０である。案内ベルト３０の前方端部分３０ａおよび後方端部分３０ｂ（図３参照）は、肩ベルト部材２０に縫い付けられている。一方、案内ベルト３０のうち、前方端部分３０ａおよび後方端部分３０ｂの間に位置する領域は、肩ベルト部材２０に縫い付けられておらず、肩ベルト部材２０から離れることが可能である。
【００１７】
同様に、他方の肩ベルト部材２１上には、肩ベルト部材２１に沿って延在する案内部材が設けられている。図示した実施形態では、案内部材は、肩ベルト部材２１上に延在する案内ベルト３１である。案内ベルト３１の前方端部分３１ａおよび後方端部分３１ｂ（図３参照）は、肩ベルト部材２１に縫い付けられている。一方、案内ベルト３１のうち、前方端部分３１ａおよび後方端部分３１ｂの間に位置する領域は、肩ベルト部材２１に縫い付けられておらず、肩ベルト部材２１から離れることが可能である。
【００１８】
ブリッジベルト５０の両端は、左右の案内ベルト３０，３１に連結され、これらの案内ベルト３０，３１に沿って位置変更可能である。各案内ベルト３０，３１によるブリッジベルト案内領域を前方部分と後方部分とに分けるように、一対の案内路開閉手段４０，４１が設けられる。案内路開閉手段４０，４１は、各案内ベルト３０，３１の中間部分における案内路を選択的に開閉するものである。
【００１９】
図８〜図１０に示すように、図示した実施形態では、案内路開閉手段４１は、雄係合具４１ａと雌係合具４１ｂとからなる止めボタンである。これらの図では、一方の肩ベルト部材２１に関連する構造を示しているが、他方の肩ベルト部材２０についても同様の構造が採用される。
【００２０】
雄係合具４１ａは案内ベルト３１の中間部分に取付けられ、雌係合具４１ｂは雄係合具４１ａに対面する位置で肩ベルト部材２１に取付けられている。図８および図９に示す状態では、雄係合具４１ａと雌係合具４１ｂとが係合し、ブリッジベルト５０の一方端は止めボタン４１の前方に位置する案内ベルト部分に保持されている。止めボタン４１により、ブリッジベルト５０に対する案内ベルト３１による案内領域が前方部分と後方部分とに分かれ、ブリッジベルト５０は、前方部分の位置に維持される。
【００２１】
図１０に示すように、雄係合具４１ａを雌係合具４１ｂから外せば案内ベルト３１の中間部分が肩ベルト部材２１から離れるので、ブリッジベルト５０を止めボタン４１を越えて後方の位置にまで移動させることが可能になる。
【００２２】
図１に示すように、ブリッジベルト５０は、一方の案内ベルト３０に連結される第１ベルト５１と、他方の案内ベルト３１に連結される第２ベルト５２と、第１および第２ベルト５１，５２を脱着可能に連結するバックル部材５３とを含む。ブリッジベルト５０の長さは調節可能である。
【００２３】
図２および図３は、子守帯をおんぶの形態で使用している状態を示している。図示する状態では、子供の顔の前にブリッジベルト５０が位置するのを避けるために、ブリッジベルト５０は、止めボタン４０、４１よりも前方に位置する領域、すなわち使用者の肩よりも前方に位置する領域に維持されている。このような位置関係を実現するために、好ましくは、止めボタン４０，４１は、使用者の肩の上に位置するように設けられる。
【００２４】
使用者の体型や、肩の形によっては、ブリッジベルト５０を止めボタン４０、４１よりも後方に位置する領域に維持させるのが良いこともある。図４はそのような状態を示しており、ブリッジベルト５０は使用者の肩よりも後方に位置する領域に維持されている。このようなブリッジベルト５０の位置変更は、ブリッジベルト５０の連結状態を維持したままで行うことができるので便利である。
【００２５】
図５および図６は、子守帯を前抱きの形態で使用している状態を示している。図示する状態では、子供の顔の前にブリッジベルト５０が位置するのを避けるために、ブリッジベルト５０は、使用者の肩よりも後方に位置する領域に維持されている。ただ、使用者の体型や肩の形によっては、図７に示すように、ブリッジベルト５０を使用者の肩よりも前方に位置する領域に維持するようにしてもよい。
【００２６】
なお、図示した実施形態では、各案内ベルト３０，３１と各肩ベルト部材２０、２１とを脱着可能に接続する接続手段として止めボタン４０，４１を用いたが、面ファスナ等の他の形態の接続手段を用いることも可能である。また、図示した実施形態では、ブリッジベルト５０を案内する案内部材として案内ベルト３０，３１を用いたが、案内ベルトに代えて他の形態のものを使用することも可能である。例えば、各肩ベルト部材２０，２１に案内スリットを設けるようにすることも可能である。
【００２７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２８】
この発明は、子供を保持するための子守帯に利用されるものであり、特に前抱きの形態およびおんぶの形態での使用が可能な子守帯に有利に利用され得る。
【図面の簡単な説明】
【００２９】
【図１】この発明の一実施形態に係る子守帯の斜視図である。
【図２】子守帯をおんぶの形態で使用している状態を前方から見た図である。
【図３】子守帯をおんぶの形態で使用している状態を後方から見た図であり、ブリッジベルトが使用者の肩よりも前方に位置している。
【図４】子守帯をおんぶの形態で使用している状態を後方から見た図であり、ブリッジベルトが使用者の肩よりも後方に位置している。
【図５】子守帯を前抱きの形態で使用している状態を前方から見た図であり、ブリッジベルトが使用者の肩よりも後方に位置している。
【図６】子守帯を前抱きの形態で使用している状態を後方から見た図である。
【図７】子守帯を前抱きの形態で使用している状態を前方から見た図であり、ブリッジベルトが使用者の肩よりも前方に位置している。
【図８】肩ベルト部材および案内ベルトに関連した構造を拡大して示す斜視図である。
【図９】肩ベルト部材および案内ベルトに関連した構造を示す断面図である。
【図１０】図９に示す状態から、止めボタンを外した状態を示す断面図である。
【符号の説明】
【００３０】
１０  子供支え部材、１１  背当て部、１２  股当て部、１３  腹当て部、１４，１５  連結ベルト、２０，２１  肩ベルト部材、２２，２３  長さ調節具、３０案内ベルト、３０ａ  前方端部分、３０ｂ  後方端部分、３１  案内ベルト、３１ａ  前方端部分、３１ｂ  後方端部分、４０，４１  止めボタン、４１ａ  雄係合具、４１ｂ  雌係合具、５０  ブリッジベルト、５１  第１ベルト、５２  第２ベルト、５３  バックル部材。
【図１】
2006130233.tif 000003
【図２】
2006130233.tif 000004
【図３】
2006130233.tif 000005
【図４】
2006130233.tif 000006
【図５】
2006130233.tif 000007
【図６】
2006130233.tif 000008
【図７】
2006130233.tif 000009
【図８】
2006130233.tif 000010
【図９】
2006130233.tif 000011
【図１０】
2006130233.tif 000012